(57)【特許請求の範囲】
【請求項１】
サッシ枠（Ｆ）を構成する上枠材（１）と下枠材（２）に、脱衣室側より障子用内ガイド（１１，２１）と中ガイド（１２，２２）、及び外ガイド（１３，２３）を相対設し、内ガイド（１１，２１）に内障子（６）を、中ガイド（１２，２２）に中障子（７）を嵌挿し、外ガイド（１３，２３）に外障子（８）を嵌挿する浴室サッシにおいて、内障子下框（６２）に下枠材（２）の内ガイド（２１）に沿って出入りする伸縮式の防水堰（５）を備え、該防水堰（５）の先部と外障子（８）の戸当框（８３）に連結板（９）を跨がって取付る浴室サッシ。
【請求項２】
上下枠材（１，２）に相対設する障子用内ガイド（１１，２１）と中ガイド（１２，２２）、及び外ガイド（１３，２３）の少なくとも一対がレールである請求項１記載の浴室サッシ。
【請求項３】
上下枠材（１，２）に相対設する障子用内ガイド（１１，２１）と中ガイド（１２，２２）、及び外ガイド（１３，２３）の少なくとも一対が凹溝である請求項１記載の浴室サッシ。
【請求項４】
防水堰（５）を内障子（６）の下框（６２）に嵌挿する大堰体（５１）と、該大堰体（５１）に嵌挿する小堰体（５２）より形成し、大小堰体（５１，５２）を外障子（８）の開閉走行に従って出入りする請求項１、２または３記載の浴室サッシ。
【発明の詳細な説明】
【０００１】
【発明の属する技術分野】
この発明は、浴室から脱衣室に湯水が溢れないようにした浴室サッシに関するものである。
【０００２】
【従来の技術】
浴室の出入口に取付ける片引き障子式や引き違い障子式の浴室サッシにあっては、下枠材のレール支持壁を浴室に向けて下降傾斜するか、浴室に向け階段状に下降し、その支持壁に内外レールを設け、下枠材の内側壁上端より脱衣室に向けて突出する天板を、レール支持壁より少なくとも２ｃｍ以上高くし、レール支持壁と天板の段差を大きくし、浴室より下枠材に流れ込んだ湯水が、下枠材を乗越えて脱衣室まで溢れ出し、脱衣室を濡らさないようにされていた。
（例えば実開昭５８−９７２５５号公報）
【０００３】
【発明が解決しようとする課題】
サッシ下枠材のレール支持壁と天板に段差があり、しかも内外レールにも段差があるため、身障者が車椅子を利用して出入りすることが著しく困難である問題点があった。これを解消するために、下枠材の上に渡り板を渡したり、サッシ下枠材の支持壁と天板の段差を例えば２ｃｍ以下にすれば、車椅子でも容易に出入りし得るが、渡り板は出入りの度に脱着する必要があるすし、渡り板の脱着に介添者を要する問題点があるし、下枠材の段差を小さくすると、浴室より下枠材に湯水が流れ込むと、下枠材を乗越えて脱衣室を濡す問題点もあった。
【０００４】
また片引き障子や引き違い障子式の浴室サッシにあっては、サッシ枠の半幅しか開放し得ないので、車椅子による出入りに問題点があった。
そこでこの発明は、従来技術の有するこのような問題点に鑑みてなされたものであり、その目的とするところは、車椅子の出入りが可能で、しかも湯水が脱衣室に溢れでないようにした浴室サッシを提供することにある。
【０００５】
【問題を解決するための手段】
上記目的を達成するために、本発明の浴室サッシは、サッシ枠を構成する上枠材と下枠材に、脱衣室側よりレール状か凹溝状の障子用内ガイドと中ガイド、及び外ガイドを相対設し、相対する内ガイドに内障子を、中ガイドに中障子を嵌挿し、外ガイドに外障子を嵌挿する浴室サッシにおいて、内障子下框に大堰体と小堰体より成る伸縮式の防水堰を備え、小堰体の先部と外障子の戸当框に連結板を跨がって取付け、外障子の開閉走行に従って防水堰の大小堰体を下枠材の内ガイドに沿って出入りし、伸張時に浴室から溢れ出た湯水を塞止め、収縮時に出入りを可能にするものである。
【０００６】
【発明の実施の形態】
先ずサッシ枠の構造を図１と図２に基づき説明すると、サッシ枠Ｆを構成する上下枠材１，２に、脱衣室側より障子用内ガイド１１，２１と中ガイド１２，２２、及び外ガイド１３，２３を相対設し、相対する内ガイド１１，２１に内障子６を、中ガイド１２，２２に中障子７を嵌挿し、外ガイド１３，２３に外障子８を嵌挿する浴室サッシにおいて、内障子下框６２に下枠材２の内ガイド２１に沿って出入りする伸縮式の防水堰５を備え、該防水堰５の先部と外障子８の戸当框８３に連結板９を跨がって取付け、外障子８の開閉走行に従って防水堰５を出入りするものである。
【０００７】
【実施例】
サッシ枠Ｆは図１（Ｂ）と図３の如く、上枠材１と下枠材２、及び左右縦枠材３，４より構成するもので、上枠材１は脱衣室側より障子用内ガイド１１と中ガイド１２、及び外ガイド１３を順に設けるもので、各ガイド１１，１２，１３の少なくとも一対がレール状を成すか、又は各ガイド１１，１２，１３の少なくとも一対が凹溝状を成し、出入口の幅方向に平行するもので、例えば脱衣室側に凹溝状の内ガイド１１を、その室外側にレール状の中ガイド１２と外ガイド１３を順に設けるものである。
【０００８】
サッシ下枠材２は内側壁２４の上端より脱衣室に向けて天板２６を突出すると共に、内側壁２４の下端より浴室に向けて支持壁２５を突出し、該支持壁２５の上面に障子用内ガイド２１と中ガイド２２、及び外ガイド２３を、上枠材１の各ガイド１１，１２，１３と相対するように設けるもので、レール状ガイド２２，２３にあっては、天板２６と同等高さまで突出する。
支持壁２５から天板２６までの段差ｈとして採用し得る範囲は２０ｍｍ以内、望ましい範囲は１０ｍｍ以内、最適な範囲は５ｍｍ以内である。
【０００９】
左縦枠材３は側壁３１の外周側に中空部３２を設け、側壁３１の浴室側にクッションＳを取付けている。
右縦枠材４は側壁４１の外周側に中空部４２を有する。
サッシ枠Ｆを構成する上枠材１と下枠材２、及び左右縦枠材３，４は、何れも軽金属材より押出し成形するものである。
【００１０】
内障子６は図４（Ｃ）と図５（Ｃ）の如く、上框６１と下框６２、戸当框６３及び召合框６４にて構成する框枠６０にガラスＧを嵌挿するものである。
中障子７は図４（Ｂ）と図５（Ｂ）の如く、上下框７１，７２と左右の召合框７３，７４にて構成する框枠７０にガラスＧを嵌挿するものである。
また外障子８は図４（Ａ）と図５（Ａ）の如く、上下框８１，８２と戸当框８３、及び召合框８４にて構成する框枠８０にガラスＧを嵌挿し、戸当框８３の浴室側に持手８５を取付けている。
【００１１】
内障子召合框６４の浴室側と中障子召合框７３の脱衣室側に、相互に係止する気密部６ａ，７ａを設ける一方、中障子召合框７４の浴室側と外障子召合框８４の脱衣室側にも、相互に係止する気密部８ａ，７ｂを設けるものである。
内障子６の下框６２に、呑込み深さＨの大きい下向溝６７を形成し、召合框６４の下端部に下框６２の下向溝６７に連通する切欠部６８を形成する。
下向溝６７の呑込み深さＨとして採用し得る範囲は３０〜１５ｍｍ、望ましい範囲は３０〜２０ｍｍ、最適な範囲は２５〜２０ｍｍである。
【００１２】
防水堰５は図６乃至図８の如く、大堰体５１に小堰体５２を出入り自在に嵌挿し二段式に伸縮するもので、その内、大堰体５１は内障子下框６２の下向溝６７に嵌挿し得る大きさで、障子幅Ｌより短かく、下向きに開口する覆壁１ａの後端部に主係止部５３を有する。
また小堰体５２は大堰体５１と相似形を成す覆壁２ａの前端部に、上記大堰体５１の主係止部５３に係止する従係止部５４を有する。
【００１３】
大堰体５１の主係止部５３は、覆壁１ａより内部に向けて内向係止片３ａを突出し、小堰体５２の従係止部５４は覆壁２ａより外部に向けて外向係止片４ａを突出している。
この内向係止片３ａと外向係止片４ａは、覆壁１ａ，２ａの上部、又は両側に一体成形するか、覆壁１ａ，２ａの上部、又は両側より切起して設ける。
【００１４】
大堰体５１の覆壁１ａに図６（Ｃ）の如く、防水堰５の伸縮方向に平行する長孔３ｂを穿設し、これを主係止部５３と成すことも可能であるし、図７（Ｃ）と図８（Ｃ）の如く、大堰体覆壁１ａと小堰体覆壁２ａの浴室側下部に下向袋溝１ｃ，２ｃを夫々設け、該下向袋溝１ｃ，２ｃに下枠材２の支持壁２５に密接するシール材Ｐを嵌着することも可能である。
【００１５】
連結板９は図９の如く、板体９１の一端部を直角に折曲げ、屈曲片９２を有する鉤状を成すか、又は板体９１の両端部に屈曲片９２，９３を相対設したコ字状を成すもので、鉤状の連結板９は図１０（Ａ）（Ｂ）の如く、屈曲片９２を小堰体５２の側面に、板体９１の一端を外障子戸当框８３の先端にビス止しするか、反対に屈曲片９２を外障子戸当框８３の側面に、板体９１の一端を小堰体５２の先端上部にビス止する。
【００１６】
またコ字状の連結板９は図１０（Ｃ）（Ｄ）の如く、一方の屈曲片９２を外障子戸当框８３の側面に、他方の屈曲片９３を小堰体５２の側面にビス止めする。框枠６０，７０，８０を構成する上框６１，７１，８１と下框６２，７２，８２、戸当框６３，８３、及び召合框６４，７３，７４，８４は、何れも軽金属材より押出し成形するものである。
防水堰５と連結板９は軽金属材にて成形するか、合成樹脂にて形成する。
【００１７】
本発明の浴室サッシは上記構造であるから、浴室の出入口のサッシ枠Ｆを取付ける場合、サッシ下枠材２の天板２６を脱衣室に向けて取付け、該サッシ枠Ｆの内ガイド１１，２１に内障子６を嵌挿する際、内障子下框６２の下向溝６７に防水堰５を備え、小堰体５２の先部と外障子８の戸当框８３に連結板９を跨がって取付けておく。
この状態で外障子８を開閉走行すると、外障子８の開閉走行に従って防水堰５の大小堰体５１，５２が下枠材２の内ガイド２１に沿って出入りする。
【００１８】
外障子８の閉鎖走行にて内障子６より防水堰５の大小堰体５１，５２が引出され、閉鎖完了時には図１１の如く縦枠材３まで達し、浴室と脱衣室の間に、下枠材２の段差ｈより数倍高い堰を形成する。その結果、例え浴室に湯水Ｗが溢れ出て、サッシ下枠材２に流れ込んでも、下枠材２の内ガイド２１には内障子６と、防水堰５の大小堰体５１，５２が連続的に嵌挿しているので、防水堰５を乗越えて脱衣室に溢れ出ることはない。
外障子８を開放走行すると、防水堰５の大小堰体５１，５２は収縮し、内障子下框６２の下向溝６７に殆ど挿入するので、浴室の出入りに支障がない。
【００１９】
【発明の効果】
本発明による浴室サッシは上記構造のとおりであるから、次に記載する効果を奏する。
サッシ下枠材の天板と支持壁の段差を少なくし、車椅子の出入りを容易にすると共に、外障子の閉鎖走行時に内障子より防水堰の大小堰体を引出し、浴室と脱衣室の間に、下枠材の段差より数倍高い堰を形成するものであるから、例え浴室より下枠材に湯水が流れ込んでも、湯水が防水堰を乗越えて脱衣室に溢れ出ることはない。
【００２０】
また障子閉鎖時に伸張した防水堰の大小堰体は、外障子の開放走行によって収縮され、内障子下框の下向溝に殆ど挿入するので、障子開放状態における出入りには全く支障を与えない。
更に、サッシ枠に内障子と中障子、及び外障子を嵌挿するものであるから、障子開放時には、サッシ枠の半幅以上を開放し得る。その結果、車椅子による出入りが一段と容易になる。
【図面の簡単な説明】
【図１】（Ａ）（Ｂ）本発明による浴室サッシとサッシ枠の縦断面図である。
【図２】（Ａ）（Ｂ）障子開閉時における防水堰の状態を示すサッシ枠の横断面図である。
【図３】サッシ枠の横断面図である。
【図４】（Ａ）（Ｂ）（Ｃ）障子框枠の構造例を示す横断面図である。
【図５】（Ａ）（Ｂ）（Ｃ）（Ｄ）障子框枠の構造例と、防水堰の嵌挿例を示す下框の縦断面図である。
【図６】（Ａ）（Ｂ）（Ｃ）防水堰の構造を分離状態において示す平面図と、一部切欠側面図である。
【図７】（Ａ）（Ｂ）（Ｃ）小堰体の形状例を示す正面図である。
【図８】（Ａ）（Ｂ）（Ｃ）大堰体の形状例を示す正面図である。
【図９】（Ａ）（Ｂ）連結板の形状例を示す斜視図である。
【図１０】（Ａ）（Ｂ）（Ｃ）（Ｄ）連結板の取付け例を示す一部切欠平面図である。
【符号の説明】
Ｆ  サッシ枠
１  上枠材
２  下枠材、１１，１２，１３，２１，２２，２３  ガイド
２４  内側壁、２５  支持壁、２６  天板
３，４  縦枠材
５  防水堰、５１  大堰体、５２  小堰体
６  内障子
７  中障子
８  外障子
６０，７０，８０  框枠
６１，７１，８１  上框、６２，７２，８２  下框
６３，８３  戸当框、６４，７３，７４，８４  召合框
９  連結板
Ｇ  ガラス、Ｐ  シール材、Ｓ  クッション
Ｈ  下向溝の呑込み深さ、ｈ  下枠材の支持壁から天板までの段差
Ｌ  障子幅、Ｗ  湯水
【図１】
0003564231.tif 000002
【図２】
0003564231.tif 000003
【図３】
0003564231.tif 000004
【図４】
0003564231.tif 000005
【図５】
0003564231.tif 000006
【図６】
0003564231.tif 000007
【図７】
0003564231.tif 000008
【図８】
0003564231.tif 000009
【図９】
0003564231.tif 000010
【図１０】
0003564231.tif 000011